(57)【特許請求の範囲】
【請求項１】
複数の端末に対してネットワークを介してコンテンツを配信するコンテンツ配信装置であって、
前記端末からの要求に応じて前記コンテンツを送信するコンテンツ送信部と、
前記端末からの要求に応じて前記コンテンツの送信を停止する際に、前記コンテンツの再生時間全体における前記コンテンツの再生が停止されたタイミングを示すレジュームポイント情報及び前記端末を識別するための端末識別情報を含むレジューム情報を前記端末から取得して記憶するレジューム情報記憶部と、
前記端末からの要求に応じて前記レジューム情報を送信するレジューム情報送信部とを含み、
前記レジューム情報記憶部は、前記コンテンツ及び前記端末識別情報ごとに１つの前記レジューム情報を記憶し、
前記レジューム情報送信部は、前記レジューム情報の送信を要求した端末を識別し、前記記憶されているレジューム情報が含む端末識別情報に従って前記レジューム情報を並べ替えて送信することを特徴とするコンテンツ配信装置。
【請求項２】
前記レジューム情報送信部は、前記レジューム情報の送信を要求した端末を示す端末識別情報を含む前記レジューム情報が先頭に表示されるように並べ替えて前記レジューム情報を送信することを特徴とする請求項１に記載のコンテンツ配信装置。
【請求項３】
前記レジューム情報は、前記コンテンツの再生が停止された時間を示す停止時間情報を含み、
前記レジューム情報送信部は、前記記憶されているレジューム情報が含む前記停止時間情報に従って前記レジューム情報を並べ替えて送信することを特徴とする請求項１又は２に記載のコンテンツ配信装置。
【請求項４】
コンテンツ配信装置からネットワークを介してコンテンツを取得して再生するコンテンツ再生装置であって、
前記コンテンツ配信装置から取得したコンテンツを再生するコンテンツ再生部と、
ユーザの操作に応じて前記コンテンツの再生を停止した際に、前記コンテンツの再生時間全体における前記コンテンツの再生が停止されたタイミングを示すレジュームポイント情報及び前記コンテンツ再生装置を識別するための端末識別情報を含むレジューム情報を生成して前記コンテンツ配信装置に送信するレジューム情報送信部と、
ユーザの操作に応じて前記コンテンツの再生を再開する際に、前記コンテンツ及び前記識別情報ごとに１つの前記レジューム情報を記憶する前記コンテンツ配信装置に記憶されているレジューム情報の送信を要求するレジューム情報要求部と、
前記コンテンツ配信装置から受信した前記レジューム情報を表示するための画面を生成して出力するレジューム情報出力部とを含み、
前記レジューム情報出力部は、前記レジューム情報が含む端末識別情報に従って前記レジューム情報を並べ替えて表示するように前記レジューム情報を表示するための画面を生成することを特徴とするコンテンツ再生装置。
【請求項５】
前記レジューム情報出力部は、自身が含まれる前記コンテンツ再生装置を示す端末識別情報を含む前記レジューム情報が先頭に表示されるように並べ替えて前記レジューム情報を表示するための画面を生成することを特徴とする請求項４に記載のコンテンツ再生装置。
【請求項６】
前記レジューム情報は、前記コンテンツの再生が停止された時間を示す停止時間情報を含み、
前記レジューム情報出力部は、前記コンテンツ配信装置から受信した前記レジューム情報が含む前記停止時間情報に従って前記レジューム情報を並べ替えて表示するように前記レジューム情報を表示するための画面を生成することを特徴とする請求項４又は５に記載のコンテンツ再生装置。
【請求項７】
複数のコンテンツ再生装置に対してネットワークを介してコンテンツを配信するコンテンツ配信装置を含むコンテンツ配信システムであって、
前記コンテンツ配信装置は、
前記端末からの要求に応じて前記コンテンツを送信するコンテンツ送信部と、
前記端末からの要求に応じて前記コンテンツの送信を停止する際に、前記コンテンツの再生時間全体における前記コンテンツの再生が停止されたタイミングを示すレジュームポイント情報及び前記端末を識別するための端末識別情報を含むレジューム情報を前記端末から取得して記憶するレジューム情報記憶部と、
前記端末からの要求に応じて前記レジューム情報を送信するレジューム情報送信部とを含み、
前記レジューム情報記憶部は、前記コンテンツ及び前記端末識別情報ごとに１つの前記レジューム情報を記憶し、
前記レジューム情報送信部は、前記レジューム情報の送信を要求した端末を識別し、前記記憶されているレジューム情報が含む端末識別情報に従って前記レジューム情報を並べ替えて送信し、
前記コンテンツ再生装置は、
前記コンテンツ配信装置から取得したコンテンツを再生するコンテンツ再生部と、
ユーザの操作に応じて前記コンテンツの再生を停止した際に、前記レジューム情報を生成して前記コンテンツ配信装置に送信するレジューム情報送信部と、
ユーザの操作に応じて前記コンテンツの再生を再開する際に、前記コンテンツ及び前記端末識別情報ごとに１つの前記レジューム情報を記憶する前記コンテンツ配信装置に記憶されているレジューム情報の送信を要求するレジューム情報要求部と、
前記コンテンツ配信装置から受信した前記レジューム情報を表示するための画面を生成して出力するレジューム情報出力部とを含み、
前記レジューム情報出力部は、前記レジューム情報が含む端末識別情報に従って前記レジューム情報を並べ替えて表示するように前記レジューム情報を表示するための画面を生成することを特徴とするコンテンツ再生システム。
【発明の詳細な説明】
【技術分野】
【０００１】
本発明は、コンテンツ配信装置、コンテンツ再生装置及びコンテンツ再生システムに関し、特に、再生を停止した場合のレジュームの態様に関する。
【背景技術】
【０００２】
家庭内のＰＣやＡＶ機器をＩＰネットワークで接続するホームネットワークの普及が進むにつれ、例えばＤＬＮＡ（Ｄｉｇｉｔａｌ  Ｌｉｖｉｎｇ  Ｎｅｔｗｏｒｋ  Ａｌｌｉａｎｃｅ）のような機器間の相互接続を容易にするための規格に準拠した機器が増えている。例えば、サーバは自身に保存されているコンテンツをクライアントに送信する機能を有し、クライアントはサーバから送信されたコンテンツを受信し再生することができる、コンテンツ装置（サーバ）、コンテンツ再生装置（クライアント）が提案されている（例えば、特許文献１参照）。
【０００３】
特許文献１に開示された技術においては、さらに、クライアントＡで再生を停止した場合、クライアントＡはレジューム情報を作成しサーバに送信する。次に別のクライアントＢにおいてユーザがレジューム再生を行う際、クライアントＢはレジューム情報要求を送信する。このレジューム情報要求をサーバが受け取ると、サーバはクライアントＢにレジューム情報を提供し、クライアントＢはクライアントＡで停止した続きからのレジューム再生が可能となる。
【０００４】
また、上述したようなサーバに格納されたコンテンツを、ネットワークを介して接続された複数の端末から視聴する場合において、再生を停止した場合、停止を指示した受信端末を特定する情報を付加して停止情報を記憶することにより、再生を再開する際、視聴を停止した特定の受信端末以外の受信端末における視聴の再開を可能する方法が提案されている（例えば、特許文献２、３参照）
【先行技術文献】
【特許文献】
【０００５】
【特許文献１】特開２００８−８５９３６号公報
【特許文献２】特開２００９−１２４４４５号公報
【特許文献３】特開２００７−２１５０１４号公報
【発明の概要】
【発明が解決しようとする課題】
【０００６】
特許文献１に記載の方法は、最後に送信されたレジューム情報のみが有効になるため、複数のユーザが別々のクライアントから同じコンテンツを再生・停止した場合に以下に示すような課題が生じる。
【０００７】
ユーザＡがクライアントＡからサーバＡ上のコンテンツを再生・停止した場合、サーバＡに対してレジューム情報Ａが送信される。次に別のユーザＢがクライアントＢからサーバＡ上の同じコンテンツを再生・停止した場合、サーバＡに対してレジューム情報Ｂが送信される。次にユーザＡが同じコンテンツをレジューム再生しようとした場合、サーバＡから提供されるレジューム情報はレジューム情報Ａではなく、レジューム情報Ｂであるため、ユーザＡは先に自身が停止した続きからレジューム再生することができない。
【０００８】
特許文献２、３に開示された発明においては、視聴端末毎にレジュームのための情報が保持されるため、上述したような課題に対応することは可能である。しかしながら、コンテンツが格納されたサーバに接続される機器の増大に従ってレジューム情報の数が多くなった場合、ユーザは、多くのレジューム情報の中から自分の過去の視聴に係るレジューム情報を探す必要があり、面倒な操作となる。また、レジューム情報が、各視聴端末の機種名等によって表示される場合等、不慣れなユーザにとっては、どれが自分の過去の視聴に係るレジューム情報であるのか判断することができない。
【０００９】
本発明は上記課題を解決するために考案されたものであり、複数のユーザがホームネットワーク上の機器を利用する場合に、簡単にレジューム再生できる機能を提供することを目的としている。
【課題を解決するための手段】
【００１０】
上記の目的を達成するために、本発明のコンテンツ配信装置であるサーバにおいては、クライアントからの要求に応じてコンテンツの配信を停止する際に、レジュームポイント情報及びクライアント識別情報を含むレジューム情報をクライアントから取得して記憶する際に、コンテンツ及びクライアント識別情報ごとに１つのレジューム情報を記憶することを特徴とする。
【００１１】
また、本発明の受信装置であるクライアントにおいては、コンテンツの再生を開始する際に、サーバに記憶されているレジューム情報の送信を要求して取得し、レジューム情報が含むクライアント識別情報に従ってレジューム情報を並べ替えて表示するようにレジューム情報を表示するための画面を生成することを特徴とする。
【００１２】
また、本発明のコンテンツ再生システムにおいては、上記サーバ及びクライアントの双方を含むことを特徴とする
【発明の効果】
【００１３】
本発明により、複数のユーザがホームネットワーク上の機器を利用する場合に、簡単にレジューム再生できる機能を提供することが可能となる。
【図面の簡単な説明】
【００１４】
【図１】本発明の実施例による送信装置及び受信装置からなるホームネットワークの構成例を示したブロック図である。
【図２】本発明の実施例によるレジューム情報の構成とサーバ・クライアント間でのレジューム情報の送受信の方式例を示す図である。
【図３】本発明の実施例による複数のクライアントからサーバにある同一コンテンツをレジューム再生する場合のフローチャートである。
【図４】本発明の実施例による複数のクライアントからサーバにある同一コンテンツをレジューム再生する場合のレジューム情報選択画面である。
【発明を実施するための形態】
【００１５】
以下、本発明の実施の形態を、図面を参照して説明する。
図１は本発明の実施例における、送信装置及び受信装置からなるホームネットワークの構成例を示したブロック図である。サーバＡ１１０はホームネットワーク１００を介してコンテンツを送信する送信装置であり、コンテンツをネットワークに送信するコンテンツ送信部１１１、コンテンツ情報を管理するコンテンツ情報管理部１１２、クライアントから受信したレジューム情報を管理するレジューム情報管理部１１３、コンテンツなどの情報を保存する記録媒体１１５から構成される。
【００１６】
ここで、記録媒体１１５はサーバＡ１１０に内蔵されているが、別の装置として外部接続される構成であっても良い。このような装置としてはＰＣ、レコーダ、録画機能付きテレビなどが考えられ、コンテンツ・コンテンツ管理情報・レジューム情報はＨＤＤなどの記録媒体１１５に保存されている。また図示しない内蔵または外部接続される表示装置により、記録媒体１１５に保存しているコンテンツの再生が可能であっても良い。
【００１７】
クライアントＢ１２０はホームネットワーク１００を介してコンテンツを受信する受信装置であり、コンテンツをネットワークから受信・再生するコンテンツ受信・再生部１２１、コンテンツ情報を取得するコンテンツ取得部１２２、レジューム情報を取得するレジューム情報取得部１２３、レジューム情報を生成しサーバに送信するレジューム情報生成・送信部１２４、再生したコンテンツや取得したコンテンツ情報・レジューム情報を表示する表示部１２５から構成される。
【００１８】
ここで、表示部１２５はクライアント１２０に内蔵されているが、クライアントＣ１３０と表示装置Ｄ１４０のように表示部が別の装置として外部接続される構成であっても良い。このような装置としては、ＰＣ、テレビ、ＳＴＢ（Ｓｅｔ  Ｔｏｐ  Ｂｏｘ）などが考えられる。
【００１９】
なお、本実施例では送信装置と受信装置を別の機器としているが、両方の機能を備えた装置も考えられる。このような機器では、記録媒体１１５に保存しているコンテンツを自機器で再生した場合のレジューム情報を、サーバとしてコンテンツを送信した場合にクライアントから受信するレジューム情報と同様に管理することも可能である。
【００２０】
次に、本実施形態におけるレジューム情報の構成及びサーバ・クライアント間でのレジューム情報の送受信の態様について説明する。図２は本実施例における、レジューム情報の構成と、サーバ・クライアント間でのレジューム情報の送受信の方式例を示す図である。図２（ａ）に示すように、本発明におけるレジューム情報２００はクライアント識別情報２０１、停止時刻２０２、レジュームポイント２０３から構成される。ここでクライアント識別情報２０１は、クライアントＢ、クライアントＣ等を識別するための情報であり、ＭＡＣ（Ｍｅｄｉａ  Ａｃｃｅｓｓ  Ｃｏｎｔｒｏｌ）アドレスやＩＰ（Ｉｎｔｅｒｎｅｔ  Ｐｒｏｔｏｃｏｌ）アドレス等のネットワーク上で一意に決まるＩＤであっても良いし、ユーザが入力した文字列であっても良い。また、クライアントＢ、クライアントＣとして動作する装置の機種名や、ユーザがクライアントＢ、クライアントＣにログインする際のログイン名であっても良い。
【００２１】
このようにクライアント識別情報２０１をレジューム情報２００に含めることにより、サーバにおいて一つのコンテンツについて複数のクライアントに対するレジューム情報を持つことを可能としている。また、停止時刻２０２はクライアントで再生を停止した時点でのクライアントの持つ図示しない時計が示す時刻であるが、サーバはレジューム情報管理部１１３にレジューム情報２００を保存する際にサーバの持つ図示しない時計が示す時刻で更新しても良い。また、レジュームポイント２０３はクライアントで再生を停止した時点でのコンテンツ内の位置を示す情報であり、コンテンツ先頭からの再生時間またはコンテンツ先頭からの情報量（バイト数）で表現される。
【００２２】
また図２（ｂ）に示すように、クライアントはレジューム再生を可能にするため、再生開始時に再生を行うコンテンツのコンテンツ識別情報２１０を指定して、サーバに対しレジューム情報の取得を要求する。レジューム情報取得要求を受信したサーバは、指定されたコンテンツ識別情報２１０に対するレジューム情報をレジューム情報管理部１１３から取得し、クライアントに送信するが、このとき、前述のとおり一つのコンテンツに対して複数のレジューム情報が存在するため、レジューム情報数［ｎ］２２０とｎ個のレジューム情報２３０がサーバからクライアントに対して送信される。また、サーバはｎ個のレジューム情報２３０を停止時刻２０２の新しいものからソートして送信する。
【００２３】
また図２（ｃ）に示すように、クライアントはレジューム情報の取得を要求する際、コンテンツ識別情報２１０と共にクライアント識別情報２０１を指定することも可能である。クライアント識別情報付きでレジューム情報取得要求を受信したサーバはｎ個のレジューム情報２３０を停止時刻２０２の新しいものからソートし、さらに指定されたクライアント識別情報２０１を含むレジューム情報を先頭にして送信する。
【００２４】
また図２（ｄ）に示すように、クライアントはコンテンツの再生停止時にレジューム情報生成・送信部１２４で生成したレジューム情報２００を、当該コンテンツのコンテンツ識別情報２１０と共に指定して、サーバに対しレジューム情報の保存を要求する。レジューム情報保存要求を受け取ったサーバは、レジューム情報２００をレジューム情報管理部１１３に保存する。このとき既にレジューム情報管理部１１３に同じクライアント識別情報を持つレジューム情報が存在すれば、そのレジューム情報は上書きされる。
【００２５】
図２（ｄ）においては、クライアントからのレジューム情報保存要求に対するサーバからの応答を図示してはいないが、サーバは保存の成否や重複による上書きの有無などを送信しても良い。
【００２６】
次に、複数のクライアントからサーバにある同一コンテンツをレジューム再生する場合の例について、フローチャート図３とユーザに提示するレジューム情報選択画面を示す図４を用いて説明する。図３に示すフローチャートは、サーバＡ１１０上に存在するコンテンツをクライアントＢ１２０、クライアントＣ１３０で順番に再生する場合の例を示しているが、初期状態として、サーバＡ１１０上のレジューム情報管理部１１３には既にクライアントＣ１３０から受信した当該コンテンツのレジューム情報が保存されているものとする。
【００２７】
初めにクライアントＢ１２０からサーバＡ１１０にあるコンテンツの一覧を取得するためにコンテンツ情報取得部１２２からコンテンツ一覧要求を行う（ステップ３０１）。サーバＡ１１０はコンテンツ情報管理部１１２に保存されているコンテンツ情報をクライアントＢ１２０に返す（ステップ３０２）。クライアントＢ１２０はコンテンツ情報取得部１２２でコンテンツ情報を受信し、表示部１２５に表示する（ステップ３０３）。
【００２８】
次にユーザが表示されたコンテンツ一覧から当該コンテンツを選択する（ステップ３０４）と、クライアントＢ１２０は当該コンテンツのコンテンツ識別情報を指定してレジューム情報取得部１２３からサーバＡ１１０にレジューム情報を要求し（ステップ３０５）、サーバＡ１１０はレジューム情報管理部１１３に保存されている当該コンテンツのレジューム情報を送信する（ステップ３０６）。
【００２９】
このステップ３０５〜３０６については、先に図２（ｂ）、図２（ｃ）を用いて説明したとおりである。このとき当該コンテンツのレジューム情報にはクライアントＣ１３０に対するレジューム情報が含まれているためレジューム情報数［ｎ］２２０は１となる。クライアントＢ１２０はレジューム情報取得部１２３でレジューム情報を取得し、表示部１２５に表示する（ステップ３０７）。
【００３０】
ここで表示される画面は図４（ａ）に示すレジューム情報選択画面４０１のように、クライアントＣ１３０に対するレジューム情報を選択肢として含むものとなる。また、レジューム情報選択画面４０１には「先頭から再生」も選択肢として表示されているが、これによりレジューム再生だけでなく先頭からの再生をユーザが選択することも可能となる。
【００３１】
ここでユーザが先頭からの再生を選択する（ステップ３０８）と、当該コンテンツの先頭からの再生を行うために、クライアントＢ１２０はコンテンツ受信・再生部１２１からコンテンツ送信開始要求を送信する（ステップ３０９）。サーバＡ１１０はコンテンツ送信部１１１で当該コンテンツの先頭からデータ送信を開始する（ステップ３１０）。クライアントＢ１２０はコンテンツ受信・再生部１２１でデータを受信し、再生したコンテンツを表示部１２５に表示する（ステップ３１１）。
【００３２】
次にユーザが再生の停止を指示する（ステップ３１２）とクライアントＢ１２０はコンテンツ受信・再生部１２１でのデータ受信・再生を停止し、その時点での当該コンテンツ内の位置をレジュームポイントとして記憶（ステップ３１３）し、さらにサーバＡ１１０に対して当該コンテンツの送信停止を要求する（ステップ３１４）。ステップ３１４におけるクライアントＢ１２０のコンテンツ送信停止要求は、ＴＣＰ（Ｔｒａｎｓｍｉｓｓｉｏｎ  Ｃｏｎｔｒｏｌ  Ｐｒｏｔｏｃｏｌ）のコネクション切断でも良く、それを検知したサーバＡ１１０は当該コンテンツの送信を停止する（ステップ３１５）。
【００３３】
クライアントＢ１２０はステップ３１３で記憶したレジュームポイントを元にレジューム情報生成・送信部１２４でレジューム情報を生成（ステップ３１６）、サーバＡ１１０に対して送信し、その保存を要求する（ステップ３１７）。サーバＡ１１０は受信したレジューム情報をレジューム情報管理部１１３に保存する（ステップ３１８）。このステップ３１６〜３１８については、先に図２（ｄ）を用いて説明したとおりである。
【００３４】
この時点でサーバＡ１１０のレジューム情報管理部１１３には、初期状態として保存されているクライアントＣ１３０に対するレジューム情報と、ステップ３１８で保存したクライアントＢ１２０に対するレジューム情報が保存されていることになる。以下、クライアントＣ１３０での当該コンテンツの再生について説明するが、本発明においては先の図１の説明における表示部の内蔵または外部接続の形態については問わないため、クライアントＢ１２０と同じ構成であるものとする。
【００３５】
クライアントＣ１３０においてユーザが当該コンテンツを選択するまでのステップ（ステップ３５１〜３５４）については、クライアントＢの場合（ステップ３０１〜３０４）と同じである。クライアントＣ１３０からのレジューム情報要求（ステップ３５５）に対し、サーバＡ１１０はレジューム情報を送信する（ステップ３５６）が、このとき当該コンテンツのレジューム情報にはクライアントＣ１３０に対するレジューム情報とクライアントＢ１２０に対するレジューム情報が含まれているためレジューム情報数［ｎ］２２０は２となる。
【００３６】
クライアントＣ１３０はこのレジューム情報を取得・表示する（ステップ３５７）が、ここで表示される画面は図４（ｂ）に示すレジューム情報選択画面４０２のように、クライアントＣ１３０に対するレジューム情報とクライアントＢ１２０に対するレジューム情報を選択肢として含むものとなる。
【００３７】
レジューム情報選択画面４０２では「先頭から再生」の他に２つの選択肢が表示されているが、ステップ３５５においてクライアント識別情報を指定した場合は、先に図２（ｃ）を用いて説明したとおり、指定されたクライアント識別情報が先頭になるため、クライアントＣ１３０に対するレジューム情報が上に表示される。一方、ステップ３５５においてクライアント識別情報を指定しない場合は、図２（ｂ）を用いて説明したとおり、停止時刻２０２の新しいものからソートされるため、クライアントＢ１２０に対するレジューム情報が上に表示されるはずであるが、本発明におけるクライアントは自身のレジューム情報を優先的に表示することも可能であるため、ここではクライアントＣ１３０に対するレジューム情報が上に表示された画面を例として用いる。
【００３８】
ここで、ユーザがクライアントＣ１３０に対するレジューム情報を選択する（ステップ３５８）と、クライアントＣ１３０に対するレジューム情報に含まれるレジュームポイントからの再生を行うため、クライアントＣ１３０はコンテンツ受信・再生部１２１からコンテンツ送信開始要求を送信する（ステップ３５９）。サーバＡ１１０はコンテンツ送信部１１１で当該コンテンツの指定されたレジュームポイントからデータ送信を開始する（ステップ３６０）。
【００３９】
以下、ステップ３６１〜３６７はクライアントＢの場合（ステップ３１１〜３１７）と同じであるが、ステップ３６８でサーバＡ１１０は受信したレジューム情報をレジューム情報管理部１１３に保存する際、既にクライアントＣに対するレジューム情報が存在しているため、上書きを行う。
【００４０】
以上により、本発明におけるサーバでは複数のクライアントに対するレジューム情報を保存可能であるため、本発明におけるクライアントを利用するユーザは任意のクライアントで再生したときのレジューム情報をレジューム情報選択画面上で選択してレジューム再生を行うことが可能となる。このため、複数のユーザが別々のクライアントから同一のコンテンツを再生した場合であっても、各クライアントでのレジューム再生は簡単な操作により可能である。また、特許文献１のようにユーザがクライアントを跨いでレジューム再生を行うことも可能である。
【００４１】
図４（ｂ）の例においては、保存されているレジューム情報が２つだけなので、レジューム情報の選択が特に困難ではないが、レジューム情報の数が増大した場合、ユーザがレジューム情報を選択する操作が面倒なものとなる。特に、クライアント端末Ｂ、Ｃが、ＰＣのような汎用情報処理装置ではなく、テレビのような専用機である場合、ユーザインタフェースの汎用性が乏しいため、レジューム情報を選択する操作は更に煩雑なものとなる。
【００４２】
このような課題に対して、本実施形態に係るサーバＡ１１０は、レジューム情報を送信する際、レジューム情報の要求元である端末のクライアント識別情報に基づき、レジューム情報をソートし、要求元である端末のレジューム情報が最上位に表示されるように並べ替えた上で送信する。また、本実施形態に係るクライアントＢ１２０、クライアントＣ１３０は、受信したレジューム情報を表示する際、受信したレジューム情報のクライアント識別情報に基づき、自身のレジューム情報が最上位に表示されるように並べ替えた上で表示する。
【００４３】
このような処理により、図４（ｂ）に示すようなレジューム情報の選択画面においては、コンテンツを視聴中の端末に係るレジューム情報が最上位に表示されるため、ユーザはレジューム情報を選択する際、わずかな操作量で視聴中の端末に係るレジューム情報を選択することができ、上述した課題を解決することができる。
【００４４】
なお、テレビのような端末においては、画面上に表示された各項目のいずれかを選択対象とするカーソルを各項目に対して順番に移動させることにより、選択すべき項目を切り替える。従って、クライアントＢ１２０、クライアントＣ１３０は、上述したようにレジューム情報を並べ替えて表示することに加えて、受信したレジューム情報を表示する際、受信したレジューム情報のクライアント識別情報に基づき、自身のレジューム情報が予め選択された状態で、即ち、上記カーソルが自身のレジューム情報に合った状態で表示しても良い。これにより、ユーザの操作性を更に向上することができる。
【符号の説明】
【００４５】
１１０  サーバ
１１１  コンテンツ送信部
１１２  コンテンツ情報管理部
１１３  レジューム情報管理部
１１５  記憶媒体
１２０、１３０クライアント
１２１  コンテンツ受信・再生部
１２２  コンテンツ情報取得部
１２３  レジューム情報取得部
１２４  レジューム情報生成・送信部
１２５  表示部
１４０  表示装置
２００、２３０  レジューム情報
２０１  クライアント識別情報
２０２  停止時刻
２０３  レジュームポイント
２１０  コンテンツ識別情報
２２０  レジューム情報数
４０１、４０２  レジューム情報選択画面
【図１】
0005539165.tif 000002
【図２】
0005539165.tif 000003
【図３】
0005539165.tif 000004
【図４】
0005539165.tif 000005